Podtech/llm-jp-corpus-v4-ja_patent huggingface dataset:
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
対象の組織内に向けられる超音波エネルギーを発生させるように構成され、かつ鏡面反射する標的によって反射する超音波エネルギーの一部を受け取るように構成された超音波トランスデューサ素子であって、前記超音波トランスデューサ素子は、前記超音波エネルギーを提供するかまたは受け取るように構成された面を備え、λが、発生した前記超音波エネルギーの中心周波数に対応する音波長である場合には、前記面は４λ２よりも大きいかまたは等しい面積を有し、前記面は２つの軸において対称であることと；
超音波エネルギーを発生しまたは受け取るように前記超音波トランスデューサ素子を制御するように構成され、かつ前記標的によって反射する前記超音波エネルギーを示す情報を取得するように構成されたプロセッサ回路と；
前記超音波トランスデューサ素子の動きを示す情報を提供するように構成された位置追跡回路と；
前記標的の位置、向き、または形状のうちの１つまたは複数に関する情報を提示するように構成されたディスプレイであって、前記位置、向き、または形状に関する情報は、前記プロセッサ回路によって、前記標的によって反射する前記超音波エネルギーを示す取得された前記情報と、前記超音波トランスデューサ素子の前記動きを示す前記情報とを使用して確定されることと
を備える、装置。
【請求項２】
前記標的は骨を有し、
前記プロセッサ回路は、候補標的に関する情報を含むモードを使用して、前記骨の位置、形状、または向きのうちの１つまたは複数を推定するように構成される、
請求項１記載の装置。
【請求項３】
前記装置はさらに、使用者の片手を使用して保持されるかまたは操作されるように寸法および形状が決められたハウジングを備え、
前記ハウジングは、前記プロセッサ回路、前記位置追跡回路、および前記ディスプレイを収容し、
前記超音波トランスデューサ素子は、前記ハウジングの上または中に位置する、
請求項１または２記載の装置。
【請求項４】
前記ハウジングは、針ガイドと、マーキング器具用のガイドとのうちの少なくとも一方を有し、
前記針ガイドと、前記マーキング器具用のガイドとのうちの少なくとも一方は、前記ディスプレイに沿ってまたは近くに位置する、
請求項３記載の装置。
【請求項５】
前記プロセッサ回路は、指定された解剖学的特徴の位置、向き、または形状のうちの１つまたは複数の推定値を、前記ディスプレイを介して特定するように構成される、
請求項１記載の装置。
【請求項６】
前記ディスプレイは、組織表面に対して平行であり、
前記プロセッサ回路によって確定される前記情報は、前記ディスプレイを介して提示されるべく、前記標的の少なくとも一部の空間的に位置合せされた３次元表現を提供することを含む、
請求項１記載の装置。
【請求項７】
前記装置はさらに、光学撮像センサまたは加速度計のうちの１つまたは複数を備え、
前記位置追跡回路は、前記光学撮像センサまたは前記加速度計のうちの１つまたは複数を介して取得される情報と、前記受け取られた超音波エネルギーに関する情報とを使用して、前記超音波トランスデューサ素子の動きを示す情報を確定するように構成される、
請求項１記載の装置。
【請求項８】
前記位置追跡回路は、指定された間隔中に受け取られた２つ以上の超音波エコー信号の間の相関を介して得られる情報を使用して、前記超音波トランスデューサ素子の面外動きまたは面内動きのうちの１つまたは複数を推定するように構成される、
請求項１記載の装置。
【請求項９】
対象の組織内に向けられる超音波エネルギーを発生させるように構成される超音波トランスデューサ素子アレイであって、前記超音波トランスデューサ素子アレイは、鏡面反射する標的によって反射する前記超音波エネルギーの一部を受け取るように構成され、λが、発生した前記超音波エネルギーの中心周波数に対応する音波長である場合には、前記超音波トランスデューサ素子アレイは１／２λよりも小さいかまたは等しい少なくとも２つの互いに隣接した超音波トランスデューサ素子の間の間隔を有し、前記超音波トランスデューサ素子アレイは、２つの軸において対称である開口部を備えることと；
超音波エネルギーを発生しまたは受け取るように前記超音波トランスデューサ素子アレイを制御するように構成されるプロセッサ回路であって、前記プロセッサ回路は前記標的によって反射する前記超音波エネルギーを示す情報を取得するように構成されることと；
前記標的の位置、向き、または形状のうちの１つまたは複数に関する情報を提示するように構成されたディスプレイであって、前記位置、向き、または形状に関する情報は、前記プロセッサ回路によって、前記標的によって反射する前記超音波エネルギーを示す取得された前記情報を使用して確定されることと
を備える、装置。
【請求項１０】
前記標的は骨を有し、
前記プロセッサ回路は、候補標的に関する情報を含むモードを使用して、前記骨の位置、形状、または向きのうちの１つまたは複数を推定するように構成される、
請求項９記載の装置。
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
骨片の切除を案内するための案内ツールであって、
骨対向面を有する本体と、
前記本体を貫通するように延び且つ縁切除面を有する縁切除具案内開口と、
前記本体を貫通するように延び且つ鋸切除面を有する鋸案内開口と、を有し、
前記縁切除面及び前記鋸切除面は、前記本体の骨対向面の側で交差して骨片切除面を構成する、案内ツール。
【請求項２】
前記縁切除面及び前記鋸切除面は、前記骨片切除面が凹形であるように切除方向に収束する、請求項１に記載の案内ツール。
【請求項３】
前記縁切除具案内開口は、凹凸のある縁切除面を有する、請求項１又は２に記載の案内ツール。
【請求項４】
前記縁切除具案内開口は、前記縁切除具案内開口の略中央に配置され且つ骨の解剖学的特徴部と整列することが可能である整列特徴部を有する、請求項１〜３のいずれか１項に記載の案内ツール。
【請求項５】
前記本体は、使用時に切除された骨表面に当接させることが可能なプレートを有する、請求項１〜４のいずれか１項に記載の案内ツール。
【請求項６】
前記プレートの縁部は、前記骨片の切除に続いて移植される補綴具の対応する縁部と一致するように形状決めされる、請求項５に記載の案内ツール。
【請求項７】
前記本体は、更に、前記プレートの縁部から突出する棚部を有し、前記棚部は、前記プレートに対して傾斜する、請求項５又は６に記載の案内ツール。
【請求項８】
前記棚部は、中央の横方向軸線を横切るように湾曲する、請求項７に記載の案内ツール。
【請求項９】
前記縁切除具案内開口は、前記棚部を貫通するように延びる、請求項７又は８に記載の案内ツール。
【請求項１０】
更に、前記棚部の骨側表面から突出する少なくとも１つの突起を有する、請求項７〜９のいずれか１項に記載の案内ツール。
【請求項１１】
前記本体は、更に、窓を有し、前記窓は、前記本体を貫通するように開口し、整列特徴部を支持する、請求項１〜１０のいずれか１項に記載の案内ツール。
【請求項１２】
更に、追加の鋸切除面を有する追加の鋸案内開口を有し、前記追加の鋸切除面は、前記縁切除面と交差し、前記追加の鋸切除面は、前記鋸切除面と交差する、請求項１〜１１のいずれか１項に記載の案内ツール。
【請求項１３】
前記本体は、固定要素を受入れ可能な複数の固定用開口を更に有し、前記固定用開口の少なくとも１つは、前記鋸案内開口と前記縁切除具案内開口との間に位置決めされる、請求項１〜１２のいずれか１項に記載の案内ツール。
【請求項１４】
前記固定用開口の少なくとも１つは、前記固定用開口の他のものよりも大きい直径を有する、請求項１３に記載の案内ツール。
【請求項１５】
前記固定用開口の少なくとも１つは予備の開口である、請求項１３又は１４に記載の案内ツール。
【請求項１６】
更に、少なくとも１つのドリル案内開口を有し、前記ドリル案内開口は、前記骨片の切除に続いて移植される補綴具のペグ用孔の孔開けを案内することが可能である請求項１〜１５のいずれか１項に記載の案内ツール。
【請求項１７】
前記案内ツールは、前記膝蓋関節の領域において大腿骨遠位部の切除を案内する、請求項１〜１６のいずれか１項に記載の案内ツール。
【請求項１８】
前記縁切除面と前記鋸切除面は、前記本体の骨対向面から約５ｍｍ〜約４０ｍｍの間の平均距離のところで交差する、請求項１〜１７のいずれか１項に記載の案内ツール。
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
トウモロコシ細胞における対象のタンパク質を発現させるための合成ＤＮＡ配列であって、
ａ）対象のタンパク質をコードするコドン最適化ＤＮＡ配列と、
ｂ）クラスＩおよびクラスＩＩからなる群から選択される少なくとも１つのポリアデニル化シグナル配列と
を含み、
クラスＩが、ＡＡＴＡＡＡ、ＡＡＴＡＡＴ、ＡＡＣＣＡＡ、ＡＴＡＴＡＡ、ＡＡＴＣＡＡ、ＡＴＡＣＴＡ、ＡＴＡＡＡＡ、ＡＴＧＡＡＡ、ＡＡＧＣＡＴ、ＡＴＴＡＡＴ、ＡＴＡＣＡＴ、ＡＡＡＡＴＡ、ＡＴＴＡＡＡ、ＡＡＴＴＡＡ、ＡＡＴＡＣＡ、およびＣＡＴＡＡＡからなる群から選択され、
クラスＩＩが、ＡＴＡＴＡＴ、ＴＴＧＴＴＴ、ＴＴＴＴＧＴ、ＴＧＴＴＴＴ、ＴＡＴＡＴＡ、ＴＡＴＴＴＴ、ＴＴＴＴＴＴ、ＡＴＴＴＴＴ、ＴＴＡＴＴＴ、ＴＴＴＡＴＴ、ＴＡＡＴＡＡ、ＡＴＴＴＡＴ、ＴＡＴＡＴＴ、ＴＴＴＴＡＴ、ＡＴＡＴＴＴ、ＴＡＴＴＡＴ、ＴＧＴＴＴＧ、ＴＴＡＴＡＴ、ＴＧＴＡＡＴ、およびＡＡＡＴＡＡからなる群から選択され、
前記コドン最適化ＤＮＡ配列は、クラスＩＩの少なくとも１つのポリアデニル化シグナル配列を含有し、
前記合成ＤＮＡ配列は、前記タンパク質の天然ＤＮＡ配列より少ないクラスＩＩのポリアデニル化シグナル配列を含有し、前記天然ＤＮＡ配列と比較して同数のクラスＩのポリアデニル化シグナル配列を含有する、合成ＤＮＡ配列。
【請求項２】
クラスＩＩのポリアデニル化シグナル配列を欠くまたは実質的に欠く請求項１に記載の合成ＤＮＡ配列。
【請求項３】
ダイズ細胞における対象のタンパク質を発現させるための合成ＤＮＡ配列であって、
ａ）対象のタンパク質をコードするコドン最適化ＤＮＡ配列と、
ｂ）クラスＩおよびクラスＩＩＩからなる群から選択される少なくとも１つのポリアデニル化シグナル配列と
を含み、
クラスＩが、ＡＡＴＡＡＡ、ＡＡＴＡＡＴ、ＡＡＣＣＡＡ、ＡＴＡＴＡＡ、ＡＡＴＣＡＡ、ＡＴＡＣＴＡ、ＡＴＡＡＡＡ、ＡＴＧＡＡＡ、ＡＡＧＣＡＴ、ＡＴＴＡＡＴ、ＡＴＡＣＡＴ、ＡＡＡＡＴＡ、ＡＴＴＡＡＡ、ＡＡＴＴＡＡ、ＡＡＴＡＣＡ、およびＣＡＴＡＡＡからなる群から選択され、
クラスＩＩＩが、ＡＴＴＴＴＴ、ＴＡＴＴＴＴ、ＴＴＡＴＴＴ、ＴＴＴＡＴＴ、ＴＴＴＴＴＴ、ＴＴＴＴＡＴ、ＡＡＴＴＴＴ、ＴＴＴＴＴＡ、ＡＴＡＴＡＴ、ＴＡＡＴＴＴ、ＴＴＡＡＴＴ、ＡＡＡＴＴＴ、ＡＡＡＴＡＡ、ＡＴＡＴＴＴ、ＴＴＴＧＴＴ、ＴＴＧＴＴＴ、ＡＴＴＡＴＴ、ＡＴＴＴＴＡ、ＴＴＴＡＡＴ、およびＴＴＴＴＡＡからなる群から選択され、
前記コドン最適化ＤＮＡ配列は、クラスＩＩＩの少なくとも１つのポリアデニル化シグナル配列を含有し、
前記合成ＤＮＡ配列は、前記タンパク質の天然ＤＮＡ配列より少ないクラスＩＩＩのポリアデニル化シグナル配列を含有し、前記天然ＤＮＡ配列と比較して同数のクラスＩのポリアデニル化シグナル配列を含有する、合成ＤＮＡ配列。
【請求項４】
クラスＩＩＩのポリアデニル化シグナル配列を欠くまたは実質的に欠く請求項７に記載の合成ＤＮＡ配列。
【請求項５】
前記合成ＤＮＡ配列は、殺虫性タンパク質、除草剤耐性タンパク質、ストレス耐性関連タンパク質、および油プロファイル修飾タンパク質からなる群から選択される天然タンパク質をコードする、請求項１または３に記載の合成ＤＮＡ配列。
【請求項６】
前記合成ＤＮＡ配列は殺虫性タンパク質をコードする、請求項５に記載の合成ＤＮＡ配列。
【請求項７】
前記合成ＤＮＡ配列はアリールオキシアルカノエートジオキシゲナーゼ１タンパク質をコードする、請求項５に記載の合成ＤＮＡ配列。
【請求項８】
配列番号５、配列番号１１、配列番号１７、配列番号２３、配列番号２９、配列番号３５、配列番号４１、配列番号４７、配列番号５３、配列番号５９、配列番号６５、および配列番号７１からなる群から選択される合成ＤＮＡ配列。
【請求項９】
５’非翻訳配列、対象のタンパク質のコード配列、および３’非翻訳領域を含む対象のタンパク質を発現させるためのＤＮＡ構築物であって、
前記５’非翻訳配列は、植物細胞において機能的なプロモーターを含有し、
前記コード配列は、請求項１または３に記載の合成ＤＮＡコード配列であり、
前記３’非翻訳配列は、転写終結配列およびポリアデニル化シグナルを含む、ＤＮＡ構築物。
【請求項１０】
請求項１または３に記載の合成ＤＮＡ配列を含有するトランスジェニック植物。
【請求項１１】
穀物または種子中の有害生物を防除する方法であって、請求項６に記載の合成ＤＮＡを含有する植物から前記穀物または種子を得るステップを含む方法。
【請求項１２】
粗挽粉または穀粉中の有害生物を防除する方法であって、請求項６に記載の合成ＤＮＡ
を含有する穀物から前記粗挽粉または穀粉を得るステップを含む方法。
【請求項１３】
請求項１０に記載のトランスジェニック植物由来の組成物であって、粗挽粉、穀粉、タ
ンパク質濃縮物、または油からなる群から選択される日用品である組成物。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
少なくとも1つのVEGF-結合要素、
少なくとも1つの血清アルブミン結合要素、および、
少なくとも1つのAng2-結合要素、
を含む二重特異性結合分子であって、前記Ang2-結合要素が、Ang1又はAng4よりも少なくとも5000倍強くAng2と結合し、
前記VEGF-結合要素、血清アルブミン結合要素、および、Ang2-結合要素が、免疫グロブリン単一可変ドメインであり、前記免疫グロブリン単一可変ドメインが、それぞれ4つのフレームワーク領域および3つの相補性決定領域からなり、前記二重特異性結合分子が
（i）VEGFANGBII00022（配列番号207）に存在するCDR配列、
（ii）VEGFANGBII00025（配列番号210）に存在するCDR配列、および、
（iii）VEGFANGBII00028（配列番号213）に存在するCDR配列、
を有する二重特異性結合分子からなる群より選ばれる、
前記二重特異性結合分子。
【請求項２】
免疫グロブリン単一可変ドメインがVHHである、請求項１記載の二重特異性結合分子。
【請求項３】
以下の（i）〜（iii）の二重特異性結合分子からなる群より選ばれる、請求項２記載の二重特異性結合分子：
（i）VEGFBII00038 VHHドメイン（配列番号57）のCDR1-3を含むVEGF結合ドメイン、
血清アルブミン結合要素としてAlb11 VHHドメイン（配列番号254）、および、
Ang2-結合ドメインとしてANGBII00938 VHHドメイン（配列番号222）、
を上記順序で含む分子；
（ii）VEGFBII00038 VHHドメイン（配列番号57）のCDR1-3を含むVEGF結合ドメイン、
血清アルブミン結合要素としてAlb11 VHHドメイン（配列番号254）、および、
Ang2-結合ドメインとしてANGBII00921 VHHドメイン（配列番号220）、
を上記順序で含む分子；および
（iii）VEGFBII00038 VHHドメイン（配列番号57）のCDR1-3を含むVEGF結合ドメイン、
血清アルブミン結合要素としてAlb11 VHHドメイン（配列番号254）、および、
Ang2-結合ドメインとしてANGBII00956 VHHドメイン（配列番号223）、
を上記順序で含む分子。
【請求項４】
以下からなる群より選ばれる、請求項３記載の二重特異性結合分子：
（i）VEGFANGBII00022（配列番号207）、
（ii）VEGFANGBII00025（配列番号210）、および、
（iii）VEGFANGBII00028（配列番号213）。
【請求項５】
請求項1から４のいずれか1項に記載の結合分子をコードする核酸分子。
【請求項６】
請求項５記載の核酸分子を含むベクター。
【請求項７】
請求項５記載の核酸分子または請求項６記載のベクターを含む宿主細胞。
【請求項８】
活性成分として、請求項1から４のいずれか1項に記載の二重特異性結合分子の少なくとも1つを含む医薬組成物。
【請求項９】
脈管形成におけるVEGF媒介作用及び／又はAng2媒介作用と関係する疾患を治療する、請求項８に記載の医薬組成物。
【請求項１０】
癌及び癌様疾患を治療する、請求項８または９記載の医薬組成物。
【請求項１１】
眼疾患を治療する、請求項８または９記載の医薬組成物。
【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
液体製品ディスペンサのための詰め替えユニットにおいて、前記詰め替えユニットは、必要に応じて前記製品ディスペンサにおける空の詰め替えユニットを交換し、
（ａ）液体製品を保持する容器であって、前記容器は、前記容器の内部へのアクセスを提供するプラグ受けを含み、前記プラグ受けは、封止する様式で膨張プラグと嵌り合うように前記膨張プラグを受容し前記容器の内容物を封入するよう構成される、容器と、
（ｂ）前記容器の外部にあり、且つ前記液体製品と液体連通する分注ノズルと、
を備え、前記容器を加圧すると、前記容器から液体が強制的に出されて、前記分注ノズルから液体が強制的に出され、前記詰め替えユニットは、前記分注ノズルを通して逃す以外に、前記容器の前記内部で生成された圧力を逃すための手段を持たない、詰め替えユニット。
【請求項２】
前記容器外へ前記液体製品を促すために必要な運動部を持たない、請求項１に記載の詰め替えユニット。
【請求項３】
前記液体製品ディスペンサは手のトリートメント製品ディスペンサであり、前記液体製品は手の除菌剤及び石鹸から選択される、請求項２に記載の詰め替えユニット。
【請求項４】
前記容器内で空気部と流体連通するエアチューブをさらに備え、前記容器を加圧すると、前記空気部内の空気が前記エアチューブを強制的に通される、請求項１に記載の詰め替えユニット。
【請求項５】
泡沫生成器をさらに備え、前記分注ノズル及び前記エアチューブが、前記泡沫を生成するアセンブリと流体連通する、請求項４に記載の詰め替えユニット。
【請求項６】
前記泡沫生成器は前記容器の前記内部の外側に配置され、前記詰め替えユニットは、前記容器の内側で前記液体製品と流体連通し且つ前記容器の外部に延在して前記泡沫生成器と流体連通する、液体チューブをさらに備える、請求項１に記載の詰め替えユニット。
【請求項７】
前記泡沫生成器は少なくとも部分的に前記容器の前記内部内に配置される、請求項１に記載の詰め替えユニット。
【請求項８】
（ａ）ディスペンサ筐体であって、
エアコンプレッサ、
前記エアコンプレッサの動作が空気を促してインフレーション針を通し、前記インフレーション針の排出口から出させるように、前記エアコンプレッサと流体結合されるインフレーション針、及び
逃し弁、を含むディスペンサ筐体と、
（ｂ）前記ディスペンサ筐体とは別個及び独自の、空になると交換される使い捨ての詰め替えユニットであって、
液体製品を保持する内部を有する容器、及び
前記容器内に設けられるプラグ受け、を含む、使い捨ての詰め替えユニットと、
を備える、ディスペンサにおいて、前記詰め替えユニットは、前記ディスペンサ筐体内に取り付けられ、前記ディスペンサ筐体の前記インフレーション針は、前記プラグ受けを通って前記容器の前記内部と連通しており、前記逃し弁は、前記容器の前記内部と流体連通し、前記エアコンプレッサが、前記針の前記排出口を通して前記容器の前記内部内に空気を注入して、前記容器の内側の圧力を増加させ、前記容器の前記圧力が設定された閾値を超えて上昇すると前記逃し弁が開く、ディスペンサ。
【請求項９】
前記逃し弁は、設定されたクラッキング圧を有し、それにより、前記容器の前記圧力が前記設定された閾値を超えて上昇すると、前記逃し弁はひとりでに開く、請求項８に記載のディスペンサ。
【請求項１０】
１つ以上の制御回路をさらに備え、前記逃し弁に関連付けられた制御回路は、前記容器の前記圧力が前記設定された閾値を超えて上昇すると、前記逃し弁が開くようにする、請求項８に記載のディスペンサ。
【請求項１１】
前記容器はその中に空気部を含み、前記詰め替えユニットは、
泡沫生成器と、
前記容器の前記空気部と流体連通し、且つ延在して前記泡沫生成器と流体連通する、エアチューブと、
をさらに備える、請求項８に記載のディスペンサ。
【請求項１２】
前記泡沫生成器は少なくとも部分的に前記容器の前記内部に位置決めされる、請求項１１に記載のディスペンサ。
【請求項１３】
前記泡沫生成器は前記容器内の前記液体製品と流体連通し、前記エアコンプレッサは前記空気部内に圧力水頭を生成し、前記圧力水頭は、空気及び前記液体製品の両方を別個に、それぞれ前記エアチューブ及び前記液体チューブに前記泡沫生成器まで強制的に通す、請求項１２に記載のディスペンサ。
【請求項１４】
前記詰め替えユニットは、前記泡沫生成器で前記空気と前記液体製品との混合物から形成された泡沫を受容するために、前記泡沫生成器から延在する分注チューブをさらに備え、前記ディスペンサ筐体は、前記分注チューブを開閉するための弁を含む、請求項１３に記載のディスペンサ。
【請求項１５】
前記泡沫生成器は前記容器の外部に位置決めされ、前記エアチューブは前記容器の外部に延在して前記泡沫生成器と連通し、前記詰め替えユニットは、前記容器内の前記液体製品と連通する液体チューブをさらに備え、前記液体チューブは前記容器の外部に延在して前記泡沫生成器と液体連通する、請求項１１に記載のディスペンサ。
【請求項１６】
前記ディスペンサ筐体は、前記容器の外部の前記エアチューブ及び前記液体チューブを開閉するために、少なくとも１つの分注弁をさらに備える、請求項１５に記載のディスペンサ。
【請求項１７】
前記ディスペンサ筐体は２つの分注弁を含み、１つは前記エアチューブを開閉するためのものであり、１つは前記液体チューブを開閉するためのものである、請求項１６に記載のディスペンサ。
【請求項１８】
前記ディスペンサ筐体は、前記詰め替えユニットを前記ディスペンサ筐体に取り付けるために、前記容器が挿入されるポケットを含み、前記インフレーション針は、前記容器が前記ポケット内に挿入されると前記プラグ受けが前記インフレーション針と整合し、前記容器が完全に挿入されると前記インフレーション針が前記プラグ受けを通って延在し、それにより前記針の前記排出口が前記容器の前記内部と連通するように、前記ポケットにおいて位置決めされる、請求項８に記載のディスペンサ。
【請求項１９】
前記プラグ受けは、穿孔可能な壁部を有する弾性のグロメットの形式である、請求項８に記載のディスペンサ。
【請求項２０】
前記プラグ受けは自己封止流路の形式である、請求項８に記載のディスペンサ。
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
ナノメートル材料にナノ孔を形成する方法であって、
イオンビーム及び中性原子ビームの群から選択される第１エネルギービームを、５個以下の内部バルク原子を内部の場所から除去させて、内部の場所に、複数の縁原子を有するナノ孔核形成部位を生じる第１ビーム線量を与える第１持続時間の間、ナノメートル材料からバルク原子を除去することができるＥdbulkのバルク原子変位エネルギーをナノメートル材料に提供するビームエネルギー以上のビームエネルギーで内部の場所に向けることにより、材料の外側縁に対して内部であるナノメートル材料の場所にナノ孔核形成部位を形成することと；
電子ビーム、イオンビーム及び中性原子ビームからなる群から選択される第２エネルギービームを、Ｅdbulkのバルク原子変位エネルギーをナノメートル材料に提供することによりナノ孔核形成部位の縁原子を除去するが、ナノ孔核形成部位のバルクナノメートル材料原子ではないバルクナノメートル材料原子を除去しないビームエネルギー未満のビームエネルギーでナノ孔核形成部位に向けることにより、ナノ孔核形成部位にナノ孔を形成することとを含む方法。
【請求項２】
第２エネルギービームが、１０００Å未満の直径を有するナノ孔をナノメートル材料に形成するために複数の縁原子を除去させる第２ビーム線量を与える第２持続時間の間、ナノ孔核形成部位に向けられる、請求項１に記載の方法。
【請求項３】
ナノメートル材料が、グラフェン、少数層グラフェン、フルオログラフェン、グラファン及びグラフェンオキシドからなる群から選択される、請求項１に記載の方法。
【請求項４】
ナノメートル材料が、六方晶ＢＮ、単原子ガラス、ＭｏＳ2、ＷＳ2、ＭｏＳｅ2、ＭｏＴｅ2、ＴａＳｅ2、ＮｂＳｅ2、ＮｉＴｅ2、Ｂｉ2Ｓｒ2ＣａＣｕ2Ｏx及びＢｉ2Ｔｅ3からなる群から選択される、請求項１に記載の方法。
【請求項５】
ナノメートル材料が、５ｎｍ以下の厚さにより特徴付けられる、請求項１に記載の方法。
【請求項６】
第１及び第２エネルギービームによる加工のためにナノメートル材料を支持構造体に配置する第１工程をさらに含む、請求項１に記載の方法。
【請求項７】
支持構造体が、それにわたってナノメートル材料が広がる開口を含む、請求項６に記載の方法。
【請求項８】
支持構造体が透過型電子顕微鏡グリッドを含む、請求項７に記載の方法。
【請求項９】
ナノメートル材料を合成し、合成された材料を支持構造体に移動する第１工程をさらに含む、請求項６に記載の方法。
【請求項１０】
エネルギービームを、それを通じてナノメートル材料に向けることができる開口部を含むパターン化マスキング材料を、ナノメートル材料に最初に配置することをさらに含む、請求項１に記載の方法。
【請求項１１】
第１エネルギービームが、アルゴン、ガリウム、ネオン、水素／陽子及びヘリウムイオンビームの群から選択されるイオンビームを含む、請求項１に記載の方法。
【請求項１２】
第１エネルギービーム及び第２エネルギービームがそれぞれイオンビームである、請求項１に記載の方法。
【請求項１３】
第１エネルギービームがイオンビームであり、第２エネルギービームが電子ビームである、請求項１に記載の方法。
【請求項１４】
第１エネルギービームがナノメートル材料に向けられるとき、３００Ｋ以下の温度でナノメートル材料を維持することをさらに含む、請求項１に記載の方法。
【請求項１５】
第１エネルギービームがナノメートル材料に向けられるとき、２００Ｋ以下の温度でナノメートル材料を維持することをさらに含む、請求項１４に記載の方法。
【請求項１６】
第２エネルギービームがナノメートル材料に向けられるとき、３００Ｋ以下の温度でナノメートル材料を維持することをさらに含む、請求項１に記載の方法。
【請求項１７】
第２エネルギービームがナノメートル材料に向けられるとき、２００Ｋ以下の温度でナノメートル材料を維持することをさらに含む、請求項１６に記載の方法。
【請求項１８】
ナノ孔を形成することが、３Å〜１０００Åの広がりを有するナノ孔を形成することを含む、請求項１に記載の方法。
【請求項１９】
第２エネルギービームをナノメートル材料に向けている間、形成中のナノ孔を透過するビーム粒子を検出すること、及び検出に応じて、選択された広がりのナノ孔を形成するように第２エネルギービームを制御することをさらに含む、請求項１に記載の方法。
【請求項２０】
ナノ孔核形成部位を形成することが、ナノ孔核形成部位の列を形成することを含み、ナノ孔核形成部位にナノ孔を形成することが、ナノ孔核形成部位の列のそれぞれの部位にナノ孔を形成することを含む、請求項１に記載の方法。
【請求項２１】
ナノ孔核形成部位の列を形成することが、少なくとも１０００ナノ孔核形成部位／ｃｍ2の密度を有するナノ孔核形成部位の列を形成することを含み、ナノ孔を形成することが、ナノ孔核形成部位の列のそれぞれの部位にナノ孔を形成することを含む、請求項２０に記載の方法。
【請求項２２】
約５ｎｍ以下の厚さを有する不浸透性自立型ナノメートル材料と、
それぞれのナノ孔が１０ｎｍ以下の直径を有し、複数のナノ孔が直径について±３０％以下で変動する単分散である、ナノメートル材料における少なくとも５０ナノ孔または１０００ナノ孔／ｃｍ2のナノ孔密度を含む複数のナノ孔と
を含む、ナノメートル構造。
【請求項２３】
ナノメートル材料が３ｎｍ以下の厚さを有する、請求項２２に記載のナノメートル構造。
【請求項２４】
それぞれのナノ孔が４ｎｍ以下の直径を有する、請求項２２に記載のナノメートル構造。
【請求項２５】
ナノメートル材料が、グラフェン、少数層グラフェン、フルオログラフェン、グラファン及びグラフェンオキシドからなる群から選択される、請求項２２に記載のナノメートル構造。
【請求項２６】
ナノメートル材料が、六方晶ＢＮ、単原子ガラス、ＭｏＳ2、ＷＳ2、ＭｏＳｅ2、ＭｏＴｅ2、ＴａＳｅ2、ＮｂＳｅ2、ＮｉＴｅ2、Ｂｉ2Ｓｒ2ＣａＣｕ2Ｏx及びＢｉ2Ｔｅ3からなる群から選択される、請求項２２に記載のナノメートル構造。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
輸液セットに固定された遠位端と輸液ポンプに固定された近位端とを有する少なくとも１つのチューブを備えた、前記輸液セットと前記輸液ポンプのための装置であって、
前記チューブの遠位端と前記チューブの近位端との間にチューブセグメントを解放可能に固定するための固定部材と、
固定部材基部を皮膚表面に接着固定するための接着層を備える前記固定部材基部とを備え、前記固定部材は前記固定部材基部と結合されることを特徴とする装置。
【請求項２】
前記固定部材は、膨張して前記チューブセグメントを受け入れ、収縮して前記チューブセグメントを固定するように構成された可撓性戻り止めを備えることを特徴とする請求項１に記載の装置。
【請求項３】
前記固定部材は、前記固定部材基部と回転可能に結合されることを特徴とする請求項１に記載の装置。
【請求項４】
前記固定部材は、前記チューブセグメントを前記固定部材に接着固定するための接着性カバーを備えることを特徴とする請求項１に記載の装置。
【請求項５】
前記固定部材基部は、輸液セット基部を備えることを特徴とする請求項２に記載の装置。
【請求項６】
前記固定部材は、前記輸液セット基部から半径方向に延在するアームの端部に配設されることを特徴とする請求項５に記載の装置。
【請求項７】
前記輸液セットおよび前記固定部材基部を実質的に同じ瞬間に自動的に配置するための挿入器をさらに備えることを特徴とする請求項１に記載の装置。
【請求項８】
前記固定部材は、前記輸液セット基部から延在するアームの端部に配設されることを特徴とする請求項５に記載の装置。
【請求項９】
前記輸液セットおよび前記固定部材基部を結合する曲がりくねった道の形の接着セグメントをさらに備えることを特徴とする請求項１に記載の装置。
【請求項１０】
前記輸液セットおよび前記固定部材基部を結合する曲がりくねった道の形の流体コネクタをさらに備えることを特徴とする請求項１に記載の装置。
【請求項１１】
鞴状チューブセグメントをさらに備えることを特徴とする請求項１に記載の装置。
【請求項１２】
開口部と前記開口部の内周の周りに配設された段部とを備える第１のチューブセグメントと、
前記第１のチューブセグメントの前記段部を摺動可能に捕捉するための戻り止めを備える第２のチューブセグメントとを備え、
前記第２のチューブセグメントの前記戻り止めは、前記第１のチューブセグメントの前記段部とともにシールを形成するように付勢されることを特徴とする請求項１に記載の装置。
【請求項１３】
輸液セットと輸液ポンプのための装置であって、前記輸液セットに固定された遠位端と前記輸液ポンプに固定された近位端とを有する少なくとも１つのチューブを備え、鞴状のチューブセグメントを備えることを特徴とする装置。
【請求項１４】
輸液セットに固定された遠位端と輸液ポンプに固定された近位端とを有する少なくとも１つのチューブを備えた、前記輸液セットと前記輸液ポンプのための装置であって、
開口部と前記開口部の内周の周りに配設された段部とを備える第１のチューブセグメントと、
前記第１のチューブセグメントの前記段部を摺動可能に捕捉するための戻り止めを備える第２のチューブセグメントとを備え、
前記第２のチューブセグメントの前記戻り止めは、前記第１のチューブセグメントの前記段部とともにシールを形成するように付勢されることを特徴とする装置。
【請求項１５】
貯蔵容器、導入器針およびカテーテルのうちの少なくとも１つを備える輸液セットのための装置であって、前記輸液セットと一体化されたポンプを備えることを特徴とする装置。
【請求項１６】
前記ポンプは、リニア蠕動ポンプを備え、前記リニア蠕動ポンプは、薬瓶と前記貯蔵容器との間で内容物を移送し、前記貯蔵容器と前記カテーテルとの間で内容物を移送するように構成されることを特徴とする請求項１５に記載の装置。
【請求項１７】
前記ポンプは、細長いチューブセグメントを備え、前記チューブセグメントは、第１の充填された寸法まで伸長され、第２の空の寸法まで収縮することができることを特徴とする請求項１５に記載の装置。
【請求項１８】
前記ポンプは、膨張可能チューブセグメントを備え、前記チューブセグメントは、第１の充填された寸法まで膨張し、第２の空の寸法まで収縮することができることを特徴とする請求項１５に記載の装置。
【請求項１９】
前記貯蔵容器は、
第１のエラストマー膜と第２のエラストマー膜との間に配設された潤滑膜を備えるプランジャを具備し、前記エラストマー膜は、前記貯蔵容器の薬剤を送達するときに前記潤滑膜を圧縮するように構成されていることを特徴とする請求項１５に記載の装置。
【請求項２０】
前記潤滑膜の前記圧縮により、前記貯蔵容器の薬剤を送達するときに前記プランジャと前記貯蔵容器との間に潤滑剤を放出することを特徴とする請求項１９に記載の装置。
【請求項２１】
前記導入器針およびカテーテルのうちの少なくとも一方に振動を伝達するように構成された圧電素子をさらに備えることを特徴とする請求項１５に記載の装置。
【請求項２２】
前記ポンプは、チュービングを実質的に円形に保管するように構成されたチューブリールをさらに備えることを特徴とする請求項１５に記載の装置。
【手続補正書】
【提出日】平成27年4月16日(2015.4.16)
【手続補正１】
【補正対象書類名】明細書
【補正対象項目名】００８６
【補正方法】変更
【補正の内容】
【００８６】
ロックアウトばね２６００は、近位端２６１０近くに、第１のばねアーム２６３０および第２のばねアーム２６４０を備える。例えば、第１のばねアーム２６３０は、ばね２６００の第１の枢動点２６３２から近位に延びる。同様に、第２のばねアーム２６４０は、ばね２６００の第２の枢動点２６４２から近位に延びる。図１８に示す初期ばね位置では、第１および第２のばねアーム２６３０、２６４０が応力のかかっていない状態にある。すなわち、両アームが半径方向外側に曲がり、第１および第２のばねアーム２６３０、２６４０間に形成される口の初期距離ＤＭ１  ２６４４を画成する離間量だけ互いから離れる。以下で詳細に説明するように、ばね２６００が応力状態にある（再取付けを防止するばねをロックアウトするように）とき、第１および第２のばねアーム２６３０、２６４０が、第１および第２の枢動点２６３２、２６４２でそれぞれ互いに向かって曲がる。この曲がりにより、アーム２６３０、２６４０の口の初期距離ＤＭ１が、第２の口の距離ＤＭ２よりも小さくなる。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
揮発性化合物を含有する噴霧乾燥フレーバーを含む噴霧乾燥フレーバー組成物であって、揮発性化合物は、フレーバーに当初含有されていた揮発性化合物の少なくとも２０％である量で存在する、前記噴霧乾燥フレーバー組成物。
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
ファイルを見つけるための方法であって、
第１のフィルタの指示を受信するステップと、
プログラムのウィンドウ内に、前記第１のフィルタを満たすファイルを表示するステップと、
前記ウィンドウ内に、前記第１のフィルタを示すナビゲーションバーを表示するステップと、
第２のフィルタの指示を受信するステップであって、前記第１のフィルタと前記第２のフィルタの一方がフォルダを識別し、前記第１のフィルタと前記第２のフィルタの他方がフォルダ以外の基準である、ステップと、
前記ウィンドウ内に、前記第１のフィルタと前記第２のフィルタとの双方を満たすファイルを表示するステップと、
前記ナビゲーションバー内の、前記第１のフィルタの後に前記第２のフィルタが適用されたことを示す位置に、前記第２のフィルタを追加するステップと、
を含む、方法。
【請求項２】
前記第１のフィルタと前記第２のフィルタとに基づいて第３のフィルタのセットを提案するステップであって、
どのファイルが前記第１のフィルタと前記第２のフィルタとを通り抜けたかの分析又は
前記第１のフィルタと前記第２のフィルタとを通り抜けたファイルの位置
のいずれかに基づいて、前記第３のフィルタのセットを提案するステップを更に含む、請求項１に記載の方法。
【請求項３】
前記ナビゲーションバーは、前記第１のフィルタ、前記第２のフィルタ及び第３のフィルタを、該第３のフィルタが前記第２のフィルタの後に追加され、前記第２のフィルタが前記第１のフィルタの後に追加されたことを示す順序で示し、
前記第２のフィルタを前記ナビゲーションバーから除去する命令を受信するステップと、
前記ナビゲーションバーが前記第１のフィルタおよび前記第３のフィルタを示すように前記第２のフィルタを除去するステップと、
前記第１のフィルタ及び前記第３のフィルタを満たすファイルを、当該ファイルが前記第２のフィルタを満たすかどうかに関わらず表示するステップと、
を更に含む、請求項１に記載の方法。
【請求項４】
ユーザが前記ナビゲーションバー内のフィルタを選択したことの指示を受信するステップと、
前記選択されたフィルタからドロップダウンメニューを表示するステップであって、前記ドロップダウンメニューは、前記選択されたフィルタと置換すべき提案フィルタのセットと、前記選択されたフィルタを削除するオプションを含む、ステップと、
を更に含む、請求項１に記載の方法。
【請求項５】
ファイルを見つけるためのシステムであって、
メモリと、
プロセッサと、
前記メモリ内に格納され、前記プロセッサ上で動作するコンポーネントと、
を備え、
前記コンポーネントが第１のフィルタの指示を受信し、前記コンポーネントが前記第１のフィルタを満たすファイルを表示し、前記コンポーネントが前記第１のフィルタをナビゲーションバー内に表示し、前記コンポーネントが第２のフィルタの指示を受信し、前記第１のフィルタと前記第２のフィルタの一方がフォルダを識別し、前記第１のフィルタと前記第２のフィルタの他方がフォルダ以外の基準であり、前記コンポーネントが、前記第１のフィルタと前記第２のフィルタとの双方を満たすファイルを表示し、前記コンポーネントが、前記ナビゲーションバー内の、前記第１のフィルタの後に前記第２のフィルタが適用されたことを示す位置に、前記第２のフィルタを追加する、システム。
【請求項６】
前記コンポーネントが、前記第１のフィルタと前記第２のフィルタとに基づいて第３のフィルタのセットを提案し、前記コンポーネントが、前記第１のフィルタと前記第２のフィルタとを通り抜けたファイルの位置の分析に基づいて前記第３のフィルタのセットを提案する、請求項５に記載のシステム。
【請求項７】
前記ナビゲーションバーは、前記第１のフィルタ、前記第２のフィルタ及び第３のフィルタを、該第３のフィルタが前記第２のフィルタの後に追加され、前記第２のフィルタが前記第１のフィルタの後に追加されたことを示す順序で示し、前記コンポーネントは、前記第２のフィルタを前記ナビゲーションバーから除去する命令を受信し、前記ナビゲーションバーが前記第１のフィルタ及び前記第３のフィルタを示すように前記第２のフィルタを除去し、前記第１のフィルタ及び前記第３のフィルタを満たすファイルを、当該ファイルが前記第２のフィルタを満たすかどうかに関わらず表示する、請求項５に記載のシステム。
【請求項８】
前記コンポーネントは、いずれのフィルタが選択される前に、フィルタの選択肢のセットをユーザに提示し、前記第１のフィルタは前記ユーザによって前記フィルタの選択肢から選択される、請求項５に記載のシステム。
【請求項９】
前記コンポーネントは、ユーザが前記ナビゲーションバー内のフィルタを選択したことの指示を受信し、前記選択されたフィルタからドロップダウンメニューを表示し、前記ドロップダウンメニューは、前記選択されたフィルタと置換すべき提案フィルタのセットと、前記選択されたフィルタを削除するオプションを含む、請求項５に記載のシステム。
【請求項１０】
ファイルを見つけるための方法をコンピュータに実行させるためのプログラムであって、前記方法は、
第１のフィルタの指示を受信するステップと、
前記第１のフィルタを満たすファイルを表示するステップと、
前記第１のフィルタを示すナビゲーションバーを表示するステップと、
第２のフィルタの指示を受信するステップであって、前記第１のフィルタと前記第２のフィルタの一方がフォルダを識別し、前記第１のフィルタと前記第２のフィルタの他方がフォルダ以外の基準である、ステップと、
前記第１のフィルタと前記第２のフィルタとの双方を満たすファイルを表示するステップと、
前記ナビゲーションバー内の、前記第１のフィルタの後に前記第２のフィルタが適用されたことを示す位置に、前記第２のフィルタを追加するステップと、
を含む、プログラム。
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
分散されたアプリケーション・インスタンスからアプリケーション管理データーにアクセスする管理ツールからの要求を扱うコンピューター実装方法であって、
アプリケーション管理ツールから、１つ以上のデーターセンターにおいてインスタンスを実行するアプリケーションに関する管理データーにアクセスする管理ツール要求を受けるステップと、
受けた要求を満たす１つ以上のタイプの管理データーを特定するステップと、
前記アプリケーションの２つ以上のインスタンスを含む前記アプリケーションの分散を決定するステップと、
分散した各アプリケーション・インスタンスから、前記要求を満たす管理データーを収集するステップと、
受けた管理ツール要求に対して均一な応答を行うために、収集した管理データーを統一するステップと、
受けた管理ツール要求に応答して、収集し統一した管理データーを報告するステップと、
を含み、前記ステップが少なくとも１つのプロセッサーによって実行される、コンピューター実装方法。
【請求項２】
請求項１記載の方法において、前記管理要求を受けるステップが、管理データーを要求するためのツールに露出された計画的アプリケーション・プログラミング・インターフェース（ＡＰＩ）を介して、前記管理ツール要求を受けるステップを含む、方法。
【請求項３】
請求項２記載の方法において、前記ＡＰＩが、どこでまたは何ヶ所でアプリケーション・インスタンスが実行しているか把握するツールを必要とすることなく、管理データーにアクセスする均一インターフェースを含む、方法。
【請求項４】
請求項１記載の方法において、前記管理ツール要求を受けるステップが、１つ以上のアプリケーション・インスタンスの動作を記述するステータス情報にアクセスする要求を、動作監視ツールから受けるステップを含む、方法。
【請求項５】
請求項１記載の方法において、管理データーの１つ以上のタイプを特定するステップが、前記管理ツール要求が、前記アプリケーションの各インスタンスによって生成された情報を求めていると判断するステップを含む、方法。
【請求項６】
請求項１記載の方法において、管理データーの１つ以上のタイプを特定する方法が、各アプリケーション・インスタンスからどの情報を収集すべきか、および前記１つ以上のタイプの管理データーが、各アプリケーション・インスタンスによって中央場所にプッシュされたデーターからローカルに既に収集されているか否か判断するステップを含む、方法。
【請求項７】
請求項１記載の方法において、前記アプリケーションの分散を決定するステップが、前記アプリケーションがどこで実行しているか、および前記システムが、前記要求を満たす管理データーをどこで発見するか判断するステップを含む、方法。
【請求項８】
請求項１記載の方法において、管理データーを収集するステップが、プライベート・データーセンターにおける少なくとも１つのインスタンスと、クラウド計算設備における少なくとも１つのインスタンスとにアクセスするステップを含む、方法。
【請求項９】
請求項１記載の方法において、管理データーを収集するステップが、受けた前記管理ツール要求を満たすために、前記アプリケーションの各インスタンスと連絡を取るステップを含む、方法。
【請求項１０】
請求項１記載の方法であって、更に、１つ以上の障害診断コマンドを１つ以上の離れたアプリケーション・インスタンスに送るステップを含み、前記離れたアプリケーション・インスタンスが、前記障害診断コマンドを実行し、前記管理ツールが前記報告された要求データーに関連した前記情報にアクセスすることができる中央場所に、要求されたデーターを報告する、方法。
【請求項１１】
請求項１記載の方法において、収集したデーターを統一するステップが、管理ツールによって管理されるアプリケーションの種々の可能な分散の理解を含むように前記管理ツールを書く必要がないように、データーをフォーマットするステップを含む、方法。
【請求項１２】
請求項１記載の方法において、収集したデーターを統一するステップが、アプリケーション負荷を扱うために必要に応じて、前記コンピューター・システムが前記アプリケーションを自由に場所から場所にまたは複数の場所に移動させることができつつ、なおも一貫した管理および障害診断体験をアドミニストレーターに提供できるように、データーをフォーマットするステップを含む、方法。
【請求項１３】
請求項１記載の方法において、前記データーを報告するステップが、前記管理ツール要求が受けられたインターフェースを介して、前記データーを前記管理ツールに送るステップを含む、方法。
【請求項１４】
相互クラウド管理および障害診断のための相互クラウド計算コンピューター・システムであって、
以下のコンポーネント内に具体化されているソフトウェア命令を実行するように構成されたプロセッサーおよびメモリーと、
アプリケーションのインスタンスが実行している複数のデーターセンター位置についての情報を管理する位置管理コンポーネントと、
前記アプリケーションのインスタンスが実行している場所を記述する情報を格納する位置データー・ストアと、
１つ以上のツールが前記アプリケーションについての管理および障害診断情報にアクセスすることができるインターフェースを、前記コンピューター・システムに設けるツール・インターフェース・コンポーネントと、
管理情報にアクセスするため、またはアプリケーション障害診断を実行するために、前記ツール・インターフェース・コンポーネントに接続する１つ以上の管理ツールと、
前記アプリケーションが実行している１つ以上の離れた場所にある管理情報を、前記アプリケーションのホーム・ロケーションに移動させるデーター移動コンポーネントと、
１箇所以上の場所において前記アプリケーションに対して１つ以上の障害診断タスクを実行する障害診断コンポーネントと、
を含む、システム。
【請求項１５】
請求項１〜１３のいずれかに記載の方法をコンピューターに実行させるためのコンピューター実行可能命令を格納したコンピューター読み取り可能記憶デバイス。
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
フロント面およびリア面を備えたシリコン基板と、
前記シリコン基板のフロント面にある不動態化層と、
前記シリコン基板のリア面を覆い、前記シリコン基板のリア面に隣接した前面と、この前面の反対側の背面とを有する薄いイントリンシックアモルファスシリコン層と、
第１のドーピング極性がドープされた半導体材料を含み、前記イントリンシックアモルファスシリコン層の背面の１つ以上の部分を覆うエミッタ層と、
前記第１のドーピング極性と反対の第２のドーピング極性が、前記シリコン基板よりも高いドーピング濃度でドープされた半導体材料を有し、前記エミッタ層によって覆われた部分に隣接した前記イントリンシックアモルファスシリコン層の背面の１つ以上の部分を覆うベース層と、
電気絶縁材料を含み、隣接する前記エミッタ層の部分と前記ベース層の部分との間に横方向に、前記イントリンシックアモルファスシリコン層の背面の１つ以上の部分上に配置された分離層と、を有するリアコンタクト型ヘテロ接合イントリンシック薄層太陽電池であって、
前記エミッタ層および前記分離層の隣接領域、ならびに前記ベース層および前記分離層の隣接領域は、オーバーラップエリアにおいて、前記分離層の少なくとも一部が前記エミッタ層および前記ベース層の内の一方のオーバーラップ部よりも前記シリコン基板の近くに位置するように、部分的に横方向にオーバーラップした構造を有することを特徴とする太陽電池。
【請求項２】
前記分離層の外側の表面を起点とする法線は、前記イントリンシックアモルファスシリコン層に接触していない前記分離層の前記表面の全ての位置で、前記イントリンシックアモルファスシリコン層から離れる方向に向いた方向成分を持つ請求項１に記載の太陽電池。
【請求項３】
前記分離層の厚さは、その横方向の端が無視できる値まで鋭角エッジなしに滑らかに低減される請求項１または２に記載の太陽電池。
【請求項４】
前記分離層の少なくとも一部は、前記イントリンシックアモルファスシリコン層と連続した相を形成し、
前記太陽電池の断面は、前記イントリンシックアモルファスシリコン層が前記エミッタ層および前記ベース層の内の一方に接触する電極の中央部の下で最も薄く、かつ電極エッジの少なくとも一方の近くおよび前記分離層の大部分で、少なくとも２０％厚い請求項１〜３のいずれか１項に記載の太陽電池。
【請求項５】
前記分離層は、良好な不動態化特性および電気絶縁特性を備えた少なくとも１つの誘電体層を有する請求項１〜４のいずれか１項に記載の太陽電池。
【請求項６】
前記分離層は、良好な不動態化特性を備えた１つのイントリンシックアモルファスシリコンの層ならびに良好な光の反射および電気絶縁特性を備えた少なくとも１つの誘電体層より成り、前記１つのイントリンシックアモルファスシリコンの層のテール部は、隣接する前記ベース層および前記エミッタ層の内の一方の下に延び、かつこの一方と横方向にオーバーラップする請求項１〜４のいずれか１項に記載の太陽電池。
【請求項７】
前記シリコン基板は、＜１１１＞結晶配向に切断され、かつ前記リア面が研磨されたシリコンウェハである請求項１〜６のいずれか１項に記載の太陽電池。
【請求項８】
前記シリコン基板のリア面は、テクスチャを持つ請求項１〜６のいずれか１項に記載の太陽電池。
【請求項９】
リアコンタクト型ヘテロ接合イントリンシック薄層太陽電池を製造する方法であって、
前記太陽電池のリア側は、
フロント面およびリア面を備えたシリコン基板を準備し、
前記シリコン基板のリア面に隣接した前面と、この前面の反対側の背面とを有する薄いイントリンシックアモルファスシリコン層を前記シリコン基板のリア面の上に堆積し、
電気絶縁材料を含む分離層を堆積し、
第１のドーピング極性がドープされた半導体材料を含むエミッタ層を堆積し、
前記第１のドーピング極性と反対の第２のドーピング極性がドープされ、かつ前記シリコン基板よりも高いドーピング濃度を持つ半導体材料を含むベース層を堆積することによって形成されるものであり、
前記分離層は、前記イントリンシックアモルファスシリコン層の背面の分離部分を覆うようにマスクを通して堆積されるものであり、
前記エミッタ層は、前記分離部分に隣接する前記イントリンシックアモルファスシリコン層の背面のエミッタ部分を覆うようにマスクを通して堆積されるものであり、
前記ベース層は、前記分離部分に隣接する前記イントリンシックアモルファスシリコン層の背面のベース部分を覆うようにマスクを通して堆積されるものである太陽電池の製造方法。
【請求項１０】
前記分離層、前記ベース層及び前記エミッタ層の少なくとも１つを堆積するために使用されるマスクは、底が最も狭い傾斜したエッジを持つ請求項９に記載の方法。
【請求項１１】
前記分離層を堆積するために位置決めされた時に前記分離層を堆積するために使用されるマスクの開口部は、前記エミッタ層および前記ベース層のそれぞれの層を堆積するために位置決めされた時に前記ベース層および前記エミッタ層の内の一方を堆積するために使用されるマスクの開口部に部分的に横方向にオーバーラップする請求項９または１０に記載の方法。
【請求項１２】
前記分離層、前記エミッタ層および前記ベース層を堆積するために使用される複数のマスクの位置合わせプロセスが、最小位置合わせ精度に技術的に制限される場合、分離領域を堆積するための前記複数のマスクの開口部の幅および間隔の各々は、最小位置合わせ精度の少なくとも２倍の幅および間隔を持つ請求項９〜１１のいずれか１項に記載の方法。
【請求項１３】
同一のマスクが、前記分離層、前記ベース層、および前記エミッタ層の各堆積のために使用され、
前記同一のマスクのそれぞれの位置合わせは、最初にパターン形成された層の堆積の位置合わせに対して全て正確である請求項９〜１２のいずれか１項に記載の方法。
【請求項１４】
前記分離層を堆積するために使用されるマスクは、１つのブリッジの下に層堆積ができるようにする複数のブリッジを含み、
前記複数のブリッジは、前記分離層を堆積するために使用されるマスクの機械的安定性をサポートする請求項９〜１３のいずれか１項に記載の方法。
【請求項１５】
前記マスクは、前記シリコン基板と同じまたは近い熱膨張係数を持つ材料で作製される請求項９〜１４のいずれか１項に記載の方法。